(57)【要約】【課題】ウッド形のゴルフクラブについて、球が捕まりにくく右に飛びやすいプレイヤーが、正しいスイングの取得を妨げることなく捕まった球を容易に打てるようなり、且つ、少なくとも中級レベルまでは継続して使用可能なものとする。【解決手段】先端側の連結用のスリーブ３１を差込んでシャフト３を連結するための差込孔を有してシャフト３を着脱自在に装着可能なウッド形のゴルフクラブヘッド２Ａにおいて、その差込孔は、クラウン２１又はヘッド上面側のヒール寄りに開口した第１の差込孔２５ａに加え、この第１の差込孔２５ａからトウ方向に所定距離だけ離れた位置に第２の差込孔２５ｂが開口しており、その第２の差込孔２５ｂにシャフト３を装着した状態とすることで、第１の差込孔２５ａにシャフト３を装着した状態よりもシャフト中心軸線からヘッド重心点までの距離が短くなることを特徴とするものとした。【選択図】図２
2016135239.tif 000002
【特許請求の範囲】
【請求項１】
シャフトの先端側に設けた連結用スリーブを差込んで前記シャフトを連結するための差込孔を有して前記シャフトを着脱自在に装着可能なウッド形のゴルフクラブヘッドにおいて、前記差込孔は、クラウン又はヘッド上面側のヒール寄り位置に開口した第１の差込孔に加え、前記第１の差込孔からトウ方向に所定距離だけ離れた位置に第２の差込孔が開口しており、前記第２の差込孔に前記シャフトを装着した状態とすることにより、前記第１の差込孔に前記シャフトを装着した状態よりも前記シャフトの中心軸線からヘッド重心点までの距離が短くなる、ことを特徴とするゴルフクラブヘッド。
【請求項２】
前記第２の差込孔は、その中心軸線と意図するプレーの線を含む面がヒール部分の基端面から０．６２５インチを超えて離れた位置から前記ヘッド重心点までの距離がゼロになる位置までの範囲に形成されている、ことを特徴とする請求項１に記載したゴルフクラブヘッド。
【請求項３】
前記第２の差込孔は、前記第１の差込孔に前記シャフトを装着した状態よりもシャフト先端がソール面に近くなる位置まで前記連結用スリーブを深く差し込んだ状態で装着させるものとされている、ことを特徴とする請求項１又は２に記載したゴルフクラブヘッド。
【請求項４】
前記第２の差込孔は、その上端側が前記第１の差込孔よりもフェイス方向に傾いた角度で設けられており、前記シャフトを装着して地面に対するシャフト角度が同一となるように構えた場合に、前記第２の差込孔にシャフトを装着した状態の方が前記第１の差込孔に装着した状態よりもフェイスが１度以上上向きになる、ことを特徴とする請求項１，２又は３に記載したゴルフクラブヘッド。
【請求項５】
前記第２の差込孔は、前記第１の差込孔よりもフェイス面を基準にして所定距離深い位置に形成されている、ことを特徴とする請求項１，２，３又は４に記載したゴルフクラブヘッド。
【請求項６】
請求項１，２，３，４又は５に記載したゴルフクラブヘッドに、前記スリーブを先端側に備えた前記シャフトを装着してなる、ことを特徴とするゴルフクラブ。
【発明の詳細な説明】
【技術分野】
【０００１】
本発明は、ゴルフクラブヘッド及びそれを備えたゴルフクラブに関し、殊に、通常のクラブでは球が捕まらずに右に飛びやすいプレイヤーでも、捕まった球が容易に打てるようになるゴルフクラブヘッド及びそれを備えたゴルフクラブに関する。
【背景技術】
【０００２】
近年、日本においてはゴルフ場やゴルフ練習場の集客、ゴルフ用具の製造・販売など、ゴルフ業界における集客数・売り上げの低下が問題となっている。これはゴルフ人口の減少が主な要因であるが、現在のゴルフプレイヤーのうち中心的な位置を占める団塊の世代がゴルフを辞めることが予想される数年後には、ゴルフ人口の減少が一層顕著になると言われている。
【０００３】
このようなゴルフ人口減少の要因として、ゴルフを新しく始める人が少なくなったこと及び一度ゴルフを始めても短期間で辞めてしまうケースが多いことが指摘されている。これは、ゴルフというスポーツが、それを始めるときの費用と手間が他のスポーツよりも大きいために入門時の敷居が高く感じられることが大きな理由と考えられる。即ち、ゴルフを始めてからコースデビューするまでには、比較的高価なゴルフクラブセットを購入するとともに、ゴルフ練習場等で予め相当の練習を重ねることが必要とされるからである。
【０００４】
また、ゴルフに使用するゴルフクラブは、野球のバットとは異なりシャフトの中心軸線上から離れた位置に打点があるため、初心者が使用すると球と打点を合わせにくいとともにフェイスが返らずに右に飛びやすいという構造的な特徴を有している。殊に、近年のドライバーは、飛距離性能を追求して長尺化とヘッドの大型化が進んだ結果、初心者にとっては一層捕まりにくく難しいものとなっている。そのため、コースではパターの次に使用頻度の高いドライバーでミスを連発してしまうのが通常であり、毎回つらい経験ばかりで楽しい経験を得られないことが、ゴルフを辞めてしまうことに繋がっている。
【０００５】
このような問題に対し、シャフトが長いことで特に捕まりにくいドライバー等のウッド形のクラブだけ、フックフェイスにしたりライ角をアップライトにしたりして球が捕まりやすくした初心者・初級者用クラブも多数提供されている。ところが、この場合は、球が捕まらない打ち方をしないと真っ直ぐに飛ばないことから、いつまでたっても正しい打ち方を取得できないという悪循環に陥りやすい。そのため、ある程度球が捕まるようになった時点で、使用するクラブを買い換える必要が生じることになり、そのための費用負担も大きいものとなっている。
【０００６】
一方、特開２００９−２６８８３５号公報にも記載されているように、重心距離（シャフトの中心軸線からヘッド重心点までの距離）を短くしてヘッドが返りやすくしたウッド形のクラブも提案されている。これは、ウエイトの配置位置を工夫する等して重心距離を短くしたものであるが、ウエイトで調整できる量には限界があることに加え、ウエイトの配置で重心距離を短くするとフェイス上の打点位置（スイートスポット）が極端にヒール寄りになってしまい、スイートエリアの狭い偏ったゴルフクラブとなってしまう。
【先行技術文献】
【特許文献】
【０００７】
【特許文献１】特開２００９−２６８８３５号公報
【発明の概要】
【発明が解決しようとする課題】
【０００８】
本発明は、上記のような問題を解決しようとするものであり、ウッド形のゴルフクラブについて、球が捕まりにくく右に飛びやすいプレイヤーが、正しいスイングの取得を妨げることなく捕まった球を容易に打てるようになり、且つ、少なくとも中級レベルになるまで継続して使用可能なものとすることを課題とする。
【課題を解決するための手段】
【０００９】
そこで、本発明は、シャフトの先端側の連結用スリーブを差込んでシャフトを連結するための差込孔を有して前記シャフトを着脱自在に装着可能なウッド形のゴルフクラブヘッドにおいて、前記差込孔は、クラウン又はヘッド上面側のヒール寄り位置に開口した第１の差込孔に加え、この第１の差込孔からトウ方向（先端方向）に所定距離だけ離れた位置に第２の差込孔が開口しており、その第２の差込孔にシャフトを装着した状態とすることにより、第１の差込孔にシャフトを装着した状態よりもシャフトの中心軸線からヘッド重心点までの距離（重心距離）が短くなる、ことを特徴とするものとした。
【００１０】
このように、シャフトを着脱自在に装着可能なゴルフクラブヘッドにおいて、通常のゴルフクラブヘッドとほぼ同様のヒール寄り位置にある第１の差込孔に加え、これよりもトウ寄りの位置で重心距離を短くする第２の差込孔を設けたことにより、その第２の差込孔にシャフトを差替えて装着するだけでヘッドが返りやすくなるため、球の捕まりにくい初心者等のプレイヤーであっても、正しいスイングの取得を妨げることなく容易に球を捕まえやすくなり、且つ、ある程度球が捕まりやすいスイングを身につけてからは、第１の差込孔にシャフトを差替えて装着するだけで、重心距離が通常のゴルフクラブヘッドに近いか同様の状態になるため、中級者（アベレージ）レベル程度になるまで継続して使用しやすいものとなる。
【００１１】
また、この場合、その第２の差込孔は、その中心軸線と意図するプレーの線を含む面がヒール部分の基端面から０．６２５インチを超えて離れた位置から、そのヘッド重心点までの距離がゼロになる位置までの範囲に形成されている、ことを特徴としたものとすれば、ゴルフ規則２の１ｄ（２）に適合する位置に第１の差込孔を形成してこれに装着した状態と、前記ゴルフ規則に適合しない第２の差込孔に装着した状態の２つの態様にて使い分けることも可能なものとなる。
【００１２】
さらに、上述したゴルフクラブヘッドにおいて、その第２の差込孔は、第１の差込孔にシャフトを装着した状態よりもシャフト先端がソール面に近くなる位置まで連結用スリーブを深く差し込んだ状態で装着させるものとすれば、第１の差込孔から第２の差込孔にシャフトを差替えて装着することで、クラブの全長を短くしながらクラブの全体バランスを軽くできるため、一層球の捕まりやすいものとなる。
【００１３】
さらにまた、上述したゴルフクラブヘッドにおいて、その第２の差込孔は、その上端側が第１の差込孔よりもフェイス方向に傾いた角度で設けられており、シャフトを装着して地面に対するシャフト角度が同一となるように構えた場合に、第２の差込孔にシャフトを装着した状態の方が第１の差込孔に装着した状態よりもフェイスが１度以上上向きになる、ことを特徴としたものとすれば、第１の差込孔から第２の差込孔に差替えて装着するだけで、ロフトアップ効果が得られて球が上がりやすくなり、且つ、球が一層捕まりやすいものとなる。
【００１４】
加えて、上述したゴルフクラブヘッドにおいて、その第２の差込孔は、第１の差込孔よりもフェイス面を基準にして所定距離深い位置に形成されていることを特徴としたものとすれば、ヘッド重心点に対しシャフトの中心軸線を近づけやすくなるため、一層操作性の高いゴルフクラブヘッドを実現しやすいものとなる。
【００１５】
そして、上述した各ゴルフクラブヘッドに、前記スリーブを先端側に備えたシャフトを装着してなるゴルフクラブとすれば、これを用いるだけで上述したゴルフクラブヘッドの機能をすぐに発揮可能なものとなる。
【発明の効果】
【００１６】
第１の差込孔に加え、これよりもトウ寄りの位置にあり重心距離を短くする第２の差込孔を設けた本発明によると、球が捕まりにくく右に飛びやすいプレイヤーであっても、正しいスイングの取得を妨げることなく捕まった球を容易に打てるようになり、且つ、少なくとも中級レベルになるまで継続して使用可能なものとなる。
【図面の簡単な説明】
【００１７】
【図１】（Ａ）は本発明における実施の形態であるゴルフクラブヘッドの平面図、（Ｂ）は（Ａ）のＸ−Ｘ線に沿う断面図である。
【図２】（Ａ）は図１（Ｂ）のゴルフクラブヘッドの第１の差込孔にシャフトを装着した状態の断面図、（Ｂ）は（Ａ）の状態から第２の差込孔にシャフトを入れ替えて装着した状態の断面図である。
【図３】（Ａ）は図１（Ｂ）のゴルフクラブヘッドの応用例としてのゴルフクラブヘッドの断面図、（Ｂ）は（Ａ）のゴルフクラブヘッドの第２の差込孔にシャフトを装着した状態の断面図である。
【図４】（Ａ）は図１（Ａ）のゴルフクラブヘッドの変形例としてのゴルフクラブヘッドの平面図、（Ｂ）は（Ａ）の応用例としてのゴルフクラブヘッドの平面図である。
【図５】（Ａ）は図４のゴルフクラブヘッドの変形例としてのゴルフクラブヘッドの第２の差込孔の中心軸線と意図するプレーの線を含む面による断面図、（Ｂ）は（Ａ）のゴルフクラブヘッドの第２の差込孔にシャフトを装着したゴルフクラブを構えた状態の断面図である。
【図６】（Ａ）は本発明によるゴルフクラブヘッドの作成方法の一例を示す分解状態の縦断面図、（Ｂ）は（Ａ）の組立後の縦断面図である。
【図７】（Ａ）は、クラウンのないゴルフクラブヘッドに本発明の特徴部分を適用した応用例を示す平面図、（Ｂ）は（Ａ）のゴルフクラブヘッドをヒール側から見た状態を示す正面図である。
【図８】第１の差込孔による重心距離を短くした変形例を示す縦断面図である。
【発明を実施するための形態】
【００１８】
以下に、図面を参照しながら本発明を実施するための形態を説明する。尚、本発明において、ゴルフクラブヘッドの重心距離とは、その内部にあるヘッド重心点からシャフト中心軸線までの最短距離を指すものとする。
【００１９】
図１（Ａ）は、本発明における実施の形態であるゴルフクラブヘッド２Ａの平面図であり、（Ｂ）は（Ａ）のＸ−Ｘ線に沿う断面図である。本実施の形態のゴルフクラブヘッド２Ａは、シャフトの先端側に設けた連結用スリーブを差込んでシャフトと連結させるための差込孔を有しており、前記シャフトを着脱自在に装着可能なドライバー用ヘッドとして使用されるものである。
【００２０】
その差込孔は、クラウン２１におけるヒール寄り端部側の通常位置（一般的なウッドクラブにおける差込孔の位置であってゴルフ規則に適合する位置）に開口した第１の差込孔２５ａに加え、その第１の差込孔２５ａからクラウン２１上のトウ方向（先端方向）に所定距離だけ離れた位置に第２の差込孔２５ｂが開口しており、その第２の差込孔２５ｂにシャフトを装着した状態とすることで、第１の差込孔２５ａにシャフトを装着した場合よりも重心距離が顕著に短くなるものとされており、この点が本発明の最大の特徴となっている。
【００２１】
即ち、図１（Ａ）に示すように、このゴルフクラブヘッド２Ａは、クラウン２１の基端側でフェイス寄りの位置に開口した第１の差込孔２５ａと、それからトウ方向に所定距離だけ離れた位置に開口した第２の差込孔２５ｂの２つを、図１（Ｂ）の縦断面図に示すように並列した状態で備えたものとなっている。そして、一点鎖線で各々示す差込孔２５ａ，２５ｂの中心軸線（シャフトの中心軸線と一致）から、このゴルフクラブヘッド２Ａの本体２０内部の中空部分に示すヘッド重心点Ｇまでの最短距離である重心距離ｇａ，ｇｂが異なるものとされており、本実施の形態では、ｇｂがｇａの約３分の１の長さとなっている。
【００２２】
そして、図２（Ａ）に示す第１の差込孔２５ａに対し先端にスリーブ３０を備えたシャフト３を差込んで装着した状態と、図２（Ｂ）に示す第２の差込孔２５ｂに対してシャフト３を差込んで装着して重心距離を短くした状態との間で切り替え操作を行うことにより、重心距離の長さを容易に変更することを可能なものとしている。
【００２３】
即ち、図２（Ａ）に示すように、シャフト３の先端側に設けたスリーブ３０の挿入部３１を、ホーゼル部３２の底面がその開口部分に当接するまで第１の差込孔２５ａ内に挿入してソール側に開口したネジ挿入凹部２６ａを介しネジ３３を螺入・固定してなるゴルフクラブ１Ａの状態から、図２（Ｂ）に示すように、脱抜したシャフト３を第２の差込孔２５ｂに挿入し、前記同様にネジ挿入凹部２６ｂを介しネジ３３を螺入・固定してなるゴルフクラブ１Ａ’の状態とすることで、重心距離の長い状態から短い状態に容易に変更できるようになり、その逆の操作も容易なものとしている。
【００２４】
そのため、このゴルフクラブヘッド２Ａを備えたゴルフクラブ１Ａの１本があるだけで、球が捕まりにくく右に行きやすいゴルフ初心者等のプレイヤーは、球を捕まえる動作を覚えるまでの間は、図２（Ｂ）のゴルフクラブ１Ａ’の球の捕まりやすい状態で使用するものとし、その後、ある程度上達して球が捕まえられるようになったら、図２（Ａ）のゴルフクラブ１Ａの状態に切り替えるだけでそのまま継続して使用することができる。
【００２５】
尚、ゴルフ規則２の１ｄ（２）には、ゴルフクラブのヒール部分は、シャフトの真っ直ぐな軸線と意図するプレーの線（水平方向）を含む面から０．６２５インチ（約１５．８８ｍｍ）以内に収まらなければならない、との記載があるところ、第２の差込孔２５ｂの位置は、その中心軸線と意図するプレーの線を含む面がヒール部分の基端面からの距離で０．６２５インチを超えた位置からそのヘッド重心点Ｇに交わる（重心距離ゼロ）位置までの範囲に形成することが、重心距離を顕著に短縮して操作性を高める観点から好ましい。
【００２６】
したがって、図２（Ｂ）の状態で使用する場合は、前記ゴルフ規則に違反することになるケースもあるところ、図２（Ａ）の第１の差込孔２５ａに装着した場合に前記ゴルフ規則に適合するような構成にすることで、前記ゴルフ規則を充足した状態にすることは可能であるため、ある程度球が捕まえられるようになってからは、コースの使用において図２（Ｂ）の状態では使用しないようにすれば良い。尚、本発明によるゴルフクラブヘッドは、ゴルフ規則の遵守が求められる競技に出場するような中級以上のプレイヤーの使用を想定していないため、そもそもゴルフ規則抵触の問題は殆ど生じないものと考えられる。
【００２７】
尚、本願のゴルフクラブヘッド及びゴルフクラブは、重心距離を短くした状態ではシャフトの中心軸線から打点位置までの距離が短くなる関係で、正確に当たった場合の飛距離が通常の重心距離の場合の飛距離と比べて若干落ちることが想定される。しかしながら、球を正確に捉えられない初心者・初級者のレベルにおいては、球が捕まって目標方向に飛ばせるようになるだけで、平均飛距離が大幅に延びる効果が期待できる。
【００２８】
図３（Ａ）は、上述したゴルフクラブヘッド２Ａの応用例としてのゴルフクラブヘッド２Ｂを示している。このゴルフクラブヘッド２Ｂは、その第２の差込孔２５ｃが、第１の差込孔２５ａにシャフトを装着した状態よりもシャフト先端がソール面に近くなるように、スリーブ３０を深く（構えた状態で地面に近くなる位置）差込んだ状態で装着させるようになっている点を特徴としている。
【００２９】
即ち、図３（Ｂ）に示すように、シャフト３先端側のスリーブ３０は、挿入部３１の上側に大径のホーゼル部３２が形成されているところ、挿入部３１を挿入する第２の差込孔２５ｃがより深い位置にまで形成されているとともに、その上部側にボーゼル部３２を挿入するための大径の挿入孔２７が形成されており、その第１の差込孔２５ａから第２の差込孔２５ｃにシャフト３を差替えて深い位置で装着することで、ゴルフクラブの全長が短くなってバランスが軽くなるとともにミート率も上がるため、一層振りやすく球が捕まりやすいゴルフクラブ１Ｂ’になる。
【００３０】
図４（Ａ）は、上述したゴルフクラブヘッド２Ａの変形例としてのゴルフクラブヘッド２Ｃを示している。この例では、その第２の差込孔２５ｄが、第１の差込孔２５ａよりもフェイス面からみて所定距離だけ深い位置に形成されている点を特徴としたものであり、これにより、シャフトの中心軸線をヘッド重心点Ｇに対してさらに近づけることが可能となり、一層操作性の高いものとなる。
【００３１】
図４（Ｂ）は、前述したゴルフクラブヘッド２Ｃの変形例としてのゴルフクラブヘッド２Ｄを示しており、この例では、上述したゴルフクラブヘッド２Ｂと同様に、第２の差込孔２５ｅを深い位置にするとともにその上部側にホーゼル部３２を挿入するための大径の挿入孔２８を形成した点を特徴としている。そして、この場合もシャフトの深い挿入に伴う短尺化により、その操作性を一層高めることが可能なものとなる。
【００３２】
尚、ゴルフ規則２の４ａ（１）の規定（ヘッドを貫通する穴は違反）に抵触する事態を回避するために、シャフトを差込まない方の差込孔を、容易には外れないネジ等の蓋部材で塞いだり、抜け止めのゴムリングを備えたネジを挿入した状態で塞いだりしてもよい。この場合、その蓋部材を比重の重い金属で作成してソール側のネジ挿入凹部に装着する方式とすれば、他方の差込孔に挿入したシャフト先端側のスリーブの重量とのバランスをとりやすいものとなる。
【００３３】
また、図５（Ｂ）に示すように、地面に対するシャフトの角度が同一となるようにクラブを構えた状態において、第２の差込孔２５ｆに装着した状態の方が第１の差込孔２５ａに装着した状態よりもフェイスが１度以上上向きになるように、第２の差込孔２５ｆを第１の差込孔２５ａと比べて上端側がフェイス方向に傾いた状態で設けた構成のゴルフクラブヘッド２Ｅとしても良い。これは、上述した総ての実施の形態・実施例に共通して適用可能であるが、第１の差込孔２５ａから第２の差込孔２５ｆに差替えて装着した状態のゴルフクラブ１Ｅ’とすることで、ロフトアップ効果が得られて球が上がりやすくなり、且つ、球が一層捕まりやすいものとなる。
【００３４】
図６（Ａ）は、上述した各実施の形態のゴルフクラブヘッドに共通したその製作方法の一例を説明するためのものであり、ゴルフクラブヘッドをソール側ボディ部２０ｂ、クラウン部２１ｂ及び図示しないフェイス部の３つのパーツで作成するものとして、その第１の差込孔２５ｇと第２の差込孔２５ｈ（図Ｂ参照）は、各々ソール側ボディ部２０ｂ内面とクラウン部２１ｂ内面から所定長さだけ突出した筒状構造により部分的に構成され、その中間部分を有していない点を特徴としている。
【００３５】
そして、図６（Ｂ）に示すように、管状の連結部材４０，４１を介装して上下の孔を連結し、第１の差込孔２５ｇと第２の差込孔２５ｈを形成させるものとしている。これに加え、シャフト３Ｂが装着状態で回転しないように、スリーブ３０Ｂの挿入部３１Ｂを、その全体又は一部を六角柱等の角柱状の外面形状にするとともに、第１の差込孔２５ｇ及び第２の差込孔２５ｈにおける挿入部３１Ｂの先端側と基端側を挿入する部分の内面形状の全体又は一部を、これと同様の形状にしたものとなっている。
【００３６】
このようなパーツ構成により作成する方式としたことで、中空のゴルフクラブヘッドの中に２つの差込孔を容易に設けることができ、且つ、装着したシャフトを回転方向に固定可能なものとなる。また、その筒状の連結部材４０，４１を、比重が軽く所定の弾力性を備えた合成樹脂等の素材で作成しながらその上下両端側を嵌合して固定する方式とすれば、ヘッド重心点の位置設定の妨げにくいものとしながら、差込孔を介して水や埃がヘッドの中空部分に侵入する事態を防止しやすいものとなる。
【００３７】
図７（Ａ）は、クラウン部がなく、フェイス部とソール側ボディ部２０ｃのみで構成されたゴルフクラブヘッドに、上述した各本発明の特徴部分を適用する応用例を説明するための平面図である。図の応用例は、クラウン部がない関係で、ソール側ボディ部２０ｃにおいて第１の差込孔２５ｊと第２の差込孔２５ｋを構成する管状部材がソール側から上向きに突設されたゴルフクラブヘッド２Ｈを示している。
【００３８】
この例では、本体２０Ｃにクラウンが存在しないために、第１の差込孔２５ｊを構成する管状部材の上端面がヘッド上面側（クラウンの上面に相当）になるとともに、第１の差込孔２５ｊ及び第２の差込孔２５ｋを構成する管状部材の強度を確保するために補強リブを備えたものとなっている。そして、図８（Ｂ）からも推察できるように、クラウン部がない関係でヘッドの低重心化が達成されており、初心者でも球が上がりやすいという特徴を有している。また、クラウン部がない構成であるため、製造が比較的容易であるとともに軽量化も容易であるため、高価で加工が難しいチタン合金を使用しなくても安価で加工が容易なステンレス等の金属素材を用いて作成することも可能である。
【００３９】
尚、上述の説明では、第１の差込孔が上述したゴルフ規則を遵守する位置になる場合を説明したが、図８に示すように、第１の差込孔２５ｉを、シャフトの中心軸線とヒール面の距離ｃが０．６２５インチを超える位置に設けても良い。このようにすることで、第１の差込孔２５ｉにシャフトを装着した状態における重心距離を通常のクラブよりも短くすることができ、球の捕まりやすい状態にすることが可能となる。
【００４０】
即ち、近年のドライバーの重心距離は３９ｍｍ前後と言われているが、例えば第１の差込孔２５ｉによる重心距離を３０ｍｍ程度とし、第２の差込孔２５ｈによる重心距離を１５ｍｍ程度に設定すれば、初心者の間は第２の差込孔２５ｈの位置でドライバーを使用し、ある程度上達して初級者（平均スコアでおおむね１２０を切るレベル以上）になった段階で第１の差込孔２５ｉの位置で使用するようにすればよい。
【００４１】
これにより、正しいスイングの取得を妨げることなく練習を積み重ねていくことができ、中級者（平均スコアでおおむね１００を切るレベル以上）になった段階で、通常（重心距離）のドライバーに切り替える、というように上達に応じたステップを踏みながら使用できるため、初心者から中級者になるまでスムースな上達を実現しやすいものとなっている。
【００４２】
加えて、上述した説明においては、本願の特徴部分をドライバーに適用した場合を説明したが、これに限定されるものではなく、フェアウエイウッドやユーティリティクラブ、さらには、図８の方式を応用することでアイアンクラブにも適用することができる。
【００４３】
以上、述べたように、本発明により、ウッド形のゴルフクラブについて、球が捕まりにくく右に飛びやすいプレイヤーが、正しいスイングの取得を妨げることなく捕まった球を容易に打てるものとなり、且つ、球が捕まるスイングを取得した後でも継続して使用しやすいものとなった。
【符号の説明】
【００４４】
１Ａ，１Ｂ，１Ｅ’  ゴルフクラブ、２Ａ，２Ｂ，２Ｃ，２Ｄ，２Ｅ，２Ｆ，２Ｇ，２Ｈ  ゴルフクラブヘッド、３，３Ｂ  シャフト、２０，２０Ｃ  本体、２１  クラウン、２５ａ，２５ｇ，２５ｉ，２５ｊ  第１の差込孔、２５ｂ，２５ｃ，２５ｄ，２５ｅ，２５ｆ，２５ｈ，２５ｋ  第２の差込孔、２６ａ，２６ｂ  ネジ挿入凹部、３０，３０Ｂ  スリーブ、３１  挿入部、３２  ホーゼル部、３３  ネジ
【図１】
2016135239.tif 000003
【図２】
2016135239.tif 000004
【図３】
2016135239.tif 000005
【図４】
2016135239.tif 000006
【図５】
2016135239.tif 000007
【図６】
2016135239.tif 000008
【図７】
2016135239.tif 000009
【図８】
2016135239.tif 000010